(57)【特許請求の範囲】
【請求項１】
光記録媒体のトラックが延在する方向を境界として２分割された２つの受光部からそれぞれ検出された第１の信号及び第２の信号を加算してＲＦ信号成分を取得するＲＦ信号成分取得部と、
前記第１の信号から前記第２の信号を減算してウォブル信号を取得するウォブル信号取得部と、
前記ＲＦ信号成分を二値化するＲＦ信号成分二値化部と、
前記ウォブル信号を二値化するウォブル信号二値化部と、
二値化された前記ＲＦ信号成分と前記ウォブル信号との排他的論理和を演算する排他的論理和演算部と、
前記排他的論理和演算部の演算結果に基づいて前記第１及び第２の信号の振幅バランスを制御する振幅バランス制御部と、を備え、
前記振幅バランス制御部の出力に基づいて前記第１の信号のゲインを調整する第１のゲイン調整部と、
前記振幅バランス制御部の出力に基づいて前記第２の信号のゲインを調整する第２のゲイン調整部と、
を備えることを特徴とする、ウォブル信号抽出回路。
【請求項２】
前記排他的論理和演算部の出力を積分する積分器を備え、
前記第１及び第２のゲイン調整部は、積分された前記排他的論理和に基づいて前記バランス制御部から出力される制御信号に基づいてゲインを調整することを特徴とする、請求項１に記載のウォブル信号抽出回路。
【請求項３】
前記ＲＦ信号成分二値化部又は前記ウォブル信号二値化部の前段に、前記ウォブル信号の帯域に応じて不要な周波数成分を除去するフィルタを備えることを特徴とする、請求項１に記載のウォブル信号抽出回路。
【請求項４】
前記第１及び第２の信号をデジタル信号に変換するＡＤ変換回路を備え、
デジタル信号処理により前記第１及び第２の信号の振幅バランスを検出することを特徴とする、請求項１に記載のウォブル信号抽出回路。
【請求項５】
前記振幅バランス制御部からは、第１のゲイン調整部と前記第２のゲイン調整部それぞれに対して互いに反転した制御信号が出力され、振幅バランス検出部により制御される第１のゲイン調整部及び前記第２のゲイン調整部のゲインの合計は一定値とされる、請求項１に記載のウォブル信号抽出回路。
【請求項６】
光記録媒体のトラックに光を照射し、前記トラックの延在する方向を境界として２分割された２つの受光部で前記光記録媒体からの反射光を受光する光ピックアップと、
前記２つの受光部からそれぞれ検出された第１の信号及び第２の信号を加算してＲＦ信号成分を取得するＲＦ信号成分取得部と、前記第１の信号から前記第２の信号を減算してウォブル信号を取得するウォブル信号取得部と、前記ＲＦ信号成分を二値化するＲＦ信号成分二値化部と、前記ウォブル信号を二値化するウォブル信号二値化部と、
二値化された前記ＲＦ信号成分と前記ウォブル信号との排他的論理和を演算する排他的論理和演算部と、前記排他的論理和演算部の演算結果に基づいて前記第１及び第２の信号の振幅バランスを制御する振幅バランス制御部と、を備え、前記振幅バランス制御部の出力に基づいて前記第１の信号のゲインを調整する第１のゲイン調整部と、
前記振幅バランス制御部の出力に基づいて前記第２の信号のゲインを調整する第２のゲイン調整部と、を備えるウォブル信号抽出回路と、
前記ウォブル信号抽出回路により抽出されたウォブル信号に基づいて、前記光記録媒体に対するデータの記録又は前記光記録媒体からのデータの読み出しを行う信号処理部と、
を備えることを特徴とする、光ディスク装置。
【発明の詳細な説明】
【技術分野】
【０００１】
本発明は、ウォブル信号抽出回路及び光ディスク装置に関する。
【背景技術】
【０００２】
一般に記録用光ディスクでは、ディスク位置情報等を示すためにトラックとなるグルーブに予めウォブルと呼ばれる蛇行信号が記録されている。例えば、ＣＤ−Ｒ／ＲＷでは記録するＲＦ信号の基本クロック４．３２１８ＭＨｚに対して十分低い周波数の２２．０５ｋＨｚがウォブル信号の基本周波数として用いられる。また、ＤＶＤ＋ＲＷではＲＦ信号の基本クロック２６．１６ＭＨｚに近い８１８ｋＨｚがウォブル信号周波数帯として用いられている。
【０００３】
光ディスクのウォブル検出方法として、ＰＤ（フォトディテクタ）の４分割された受光部の信号（Ａ，Ｂ，Ｃ，Ｄ）に対して、プッシュプル信号成分（Ａ＋Ｄ）−（Ｂ＋Ｃ）を演算する方法が知られている。検出したウォブル信号をアドレスデコーダでアドレス情報に変換することで記録再生のための位置情報を得ることができる。ここで、ＲＦ信号が記録されていない未記録部分ではノイズ成分がほとんどないため、（Ａ＋Ｄ），（Ｂ＋Ｃ）の各チャンネル間にゲイン差があったとしても、このゲイン差はオフセットとなるだけであり、ウォブル信号検出に問題は生じない。
【０００４】
しかしながら、ＲＦ信号が記録されている既記録部分では、（Ａ＋Ｄ），（Ｂ＋Ｃ）のチャンネル間にゲイン差が生じていると、ウォブル信号検出時にＲＦ信号の漏れ込みが発生する。これにより、ウォブル信号の特性が劣化するという問題がある。
【０００５】
このため、下記の特許文献１には、２分割された受光素子からの各信号（Ａ＋Ｄ），（Ｂ＋Ｃ）を各々任意のゲインで変化させる２つの可変ゲイン増幅器と、その出力信号を検波する２つの検波器と、その検波出力を比較する比較器と、この比較出力に基づき各可変ゲイン増幅器のゲインを制御するゲイン制御手段と、を備える構成により、プッシュプル信号の各チャンネルのゲインバランスを合わせるＡＧＣ回路とした構成が開示されている。
【０００６】
【特許文献１】特開２００５−３５３１９５号公報
【発明の開示】
【発明が解決しようとする課題】
【０００７】
しかしながら、上記従来の技術では、各信号（Ａ＋Ｄ），（Ｂ＋Ｃ）のそれぞれに対してＡＧＣループにより振幅を一致させているため、ＡＧＣ回路を設けることが必要不可欠であり、回路構成が複雑になるという問題がある。また、ＡＧＣ回路における検波器、比較器等の構成が必要であり、回路構成が複雑になるという問題がある。
【０００８】
また、これらのＡＧＣ動作を正確に行うためには、前段に信号振幅をある程度調整するためのＧＣＡや、高周波成分を取り除くためのＬＰＦなどの構成が必要となる。このため、更に回路規模が増大してしまうという問題がある。
【０００９】
そこで、本発明は、上記問題に鑑みてなされたものであり、本発明の目的とするところは、簡素な構成でウォブル信号からＲＦ成分を確実に取り除くことが可能な、新規かつ改良されたウォブル信号抽出回路及び光ディスク装置を提供することにある。
【課題を解決するための手段】
【００１０】
上記課題を解決するために、本発明のある観点によれば、光記録媒体のトラックが延在する方向を境界として２分割された２つの受光部からそれぞれ検出された第１の信号及び第２の信号の少なくとも一方からＲＦ信号成分を取得するＲＦ信号成分取得部と、前記第１の信号から前記第２の信号を減算してウォブル信号を取得するウォブル信号取得部と、前記ＲＦ信号成分を二値化するＲＦ信号成分二値化部と、前記ウォブル信号を二値化するウォブル信号二値化部と、二値化された前記ＲＦ信号成分と前記ウォブル信号との排他的論理和を演算する排他的論理和演算部と、を備え、前記排他的論理和演算部の演算結果に基づいて前記第１及び第２の信号の振幅バランスを検出するウォブル信号抽出回路が提供される。
【００１１】
上記構成によれば、光記録媒体のトラックが延在する方向を境界として２分割された２つの受光部からそれぞれ検出された第１の信号及び第２の信号の少なくとも一方から、ＲＦ信号成分が取得され、第１の信号から第２の信号を減算してウォブル信号が取得される。
ＲＦ信号成分とウォブル信号はそれぞれ二値化され、これらの排他的論理和が演算される。そして、演算された排他的論理和に基づいて第１及び第２の信号の振幅バランスが検出される。従って、二値化したＲＦ信号成分と二値化されたウォブル信号との排他的論理和を演算することで第１及び第２の信号のバランスのずれの方向を検出することができる。これにより、第１の信号と第２の信号の振幅バランスを均一にすることが可能となり、ウォブル信号を精度良く抽出することが可能となる。
【００１２】
また、前記ＲＦ信号成分取得部は、前記第１の信号と前記第２の２信号を加算して前記ＲＦ信号成分を取得するものであってもよい。かかる構成によれば、２分割された２つの受光部からそれぞれ検出された第１の信号と第２信号を加算することで、ＲＦ信号成分を取得することができる。
【００１３】
また、前記排他的論理和演算部の演算結果に基づいて前記第１の信号のゲインを調整する第１のゲイン調整部と、前記排他的論理和演算部の演算結果に基づいて前記第２の信号のゲインを調整する第２のゲイン調整部と、を備えるものであってもよい。かかる構成によれば、第１の信号と第２の信号のバランスのずれの方向を検出し、これに基づいてフィードバック制御をかけることで、第１の信号と第２の信号Ｃの振幅バランスを均一にすることが可能となり、ウォブル信号を精度良く抽出することが可能となる。
【００１４】
また、前記排他的論理和演算部の出力を積分する積分器を備え、前記第１及び第２のゲイン調整部は、積分された前記排他的論理和に基づいてゲインを調整するものであってもよい。かかる構成によれば、排他的論理和の積算結果に基づいてゲインを調整することが可能となる。
【００１５】
また、前記ＲＦ信号成分二値化部又は前記ウォブル信号二値化部の前段に、前記ウォブル信号の帯域に応じて不要な周波数成分を除去するフィルタを備えるものであってもよい。かかる構成によれば、ウォブル信号に漏れ込むＲＦ信号の周波数成分としては、特にウォブル信号の帯域に近いものが問題となるため、ウォブル信号の帯域から外れる周波成分を予め除去することで、ウォブル信号を精度良く抽出することができる。
【００１６】
また、前記第１及び第２の信号をデジタル信号に変換するＡＤ変換回路を備え、デジタル信号処理により前記第１及び第２の信号の振幅バランスを検出するものであってもよい。かかる構成によれば、デジタル信号処理により前記第１及び第２の信号の振幅バランスを検出することでウォブル信号を精度良く抽出することができる。
【００１７】
また、上記課題を解決するために、本発明の別の観点によれば、光記録媒体のトラックに光を照射し、前記トラックの延在する方向を境界として２分割された２つの受光部で前記光記録媒体からの反射光を受光する光ピックアップと、前記２つの受光部からそれぞれ検出された第１の信号及び第２の信号の少なくとも一方からＲＦ信号成分を取得するＲＦ信号成分取得部と、前記第１の信号から前記第２の信号を減算してウォブル信号を取得するウォブル信号取得部と、前記ＲＦ信号成分を二値化するＲＦ信号成分二値化部と、前記ウォブル信号を二値化するウォブル信号二値化部と、二値化された前記ＲＦ信号成分と前記ウォブル信号との排他的論理和を演算する排他的論理和演算部と、を備え、前記排他的論理和演算部の演算結果に基づいて前記第１及び第２の信号の振幅バランスを調整するウォブル信号抽出回路と、前記ウォブル信号抽出回路により抽出されたウォブル信号に基づいて、前記光記録媒体に対するデータの記録又は前記光記録媒体からのデータの読み出しを行う信号処理部と、を備える光ディスク装置が提供される。
【００１８】
上記構成によれば、光記録媒体のトラックが延在する方向を境界として２分割された２つの受光部からそれぞれ検出された第１の信号及び第２の信号の少なくとも一方から、ＲＦ信号成分が取得され、第１の信号から第２の信号を減算してウォブル信号が取得される。ＲＦ信号成分とウォブル信号はそれぞれ二値化され、これらの排他的論理和が演算される。そして、演算された排他的論理和に基づいて第１及び第２の信号の振幅バランスが検出される。従って、二値化したＲＦ信号成分と二値化されたウォブル信号との排他的論理和を演算することで第１及び第２の信号のバランスのずれの方向を検出することができる。これにより、第１の信号と第２の信号の振幅バランスを均一にすることが可能となり、ウォブル信号を精度良く抽出することが可能となり、ウォブル信号に基づいて、光記録媒体に対するデータの記録又は光記録媒体からのデータの読み出しを高精度に行うことができる。
【発明の効果】
【００１９】
本発明によれば、簡素な構成でウォブル信号からＲＦ成分を確実に取り除くことが可能なウォブル信号抽出回路及び光ディスク装置を提供することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
図１は、本発明の一実施形態に係る光ディスク装置１００の構成を示す模式図である。光ディスク装置１００は、ウォブル信号処理系を備えている。ウォブル信号処理系は、ディスク状記録媒体２００のトラックを読み出す光学ヘッド（光ピックアップ）１０２、プリアンプ１０４、ＧＣＡ(Gain Control Amp)１０６、ウォブル抽出回路１０８、アナログフィルタ１１０、ＡＤ変換回路(ADC)１１２、アドレス復調器１１３、アドレス復号器１１４、ＰＬＬ(Phase Locked Loop)１１５、コントローラ１１６を有して構成されている。
【００２２】
また、光学ヘッド１０２には、ディスク状記録媒体２００から検出された再生信号のフィルタリングとデジタル化等の処理を行う再生回路１０が接続され、再生回路１０にはデータフォーマットを変換するデコーダ１２が接続されて信号再生系が構成されている。
【００２３】
また、記録すべき情報はコントローラ１１６からエンコーダ１４へ送られ、エンコーダ１４によりデータフォーマットを変換し、レーザ制御回路１６で情報ビットに応じて光学ヘッド１０２内の光源の発光制御を行うことでディスク状記録媒体に情報が書き込まれ、これにより信号記録系が構成されている。
【００２４】
また、光学ヘッド１０２の受光素子により検出された出力信号からサーボ信号が生成され、サーボ回路１８にて光学ヘッド１０２の位置制御が行われる。また、サーボ回路１８は、ディスク状記録媒体２００が搭載されているスピンドルモータ２０の回転制御を行う。
【００２５】
ディスク状記録媒体２００としては、記録面にウォブリングされて形成されたトラックを有する光ディスクが用いられる。光学ヘッド１０２は、レーザダイオード等の光源、レーザ光を集光する対物レンズ、ディスク状光記録媒体２００からの反射光を受光する受光素子、反射光を受光素子に導く光学系、フォーカシングサーボやトラッキングサーボを行うためのアクチュエータなどを有して構成される。
【００２６】
ウォブル信号処理系では、光学ヘッド１０２から出力されてプリアンプ１０４で増幅された信号は、ＧＣＡ１０６で後段回路のＤレンジに合わせて振幅調整され、ウォブル抽出回路１０８でウォブル信号が抽出され、更にアナログフィルタ１１０に入力される。アナログフィルタ１１０では、入力された信号に対して低域及び高域の不要な信号成分が除去される。アナログフィルタ１１０で不要な信号成分が除去された再生信号（ウォブル信号）は、ＡＤ変換回路１１２に入力される。ＡＤ変換回路１１２からの出力信号は、アドレス復調器１１３に入力される。アドレス復調器１１３は、入力されたウォブル信号の変調信号を検出してアドレス復調を行い、後段のアドレス復号器１１４に出力する。アドレス復号器１１４は、復調データからアドレスの復号を行い、アクセス位置のアドレス情報を再生してコントローラ１１６に出力する。コントローラ１１６は、アドレス情報に基づいて光ディスク装置１００の信号再生系、信号記録系を制御する。ＰＬＬ１１５は、ＡＤ変換回路１１２、アドレス復調器１１３、アドレス復号器１１４、及びコントローラ１１６で使用されるクロックを生成する機能を有する。
【００２７】
図２は、図１の光ディスク装置１００において、ウォブル抽出回路１０８とその周辺の構成を詳細に示す模式図である。光ディスクなどの記録系メディアでは一般的に予め各半径位置における線速度を正確に検出するため、トラックを蛇行（ウォブル）させるフォーマットが多く採用されている。光ディスク装置１００は、これらウォブル信号を読み取ることで、未記録ディスクの任意の位置にアクセスし情報を記録・再生することができる。
【００２８】
図２に示すように、光学ヘッド１０２の受光素子１０２ａは、トラックの延在する方向（トラックの接線方向）に対してその受光領域が２分割されて光スポットの記録面からの反射光を受光するように構成されている。受光素子１０２ａとしては、メインスポットの反射光を受光するため４分割されたＰＤ(Photo Detector)を用いる。図２に示すように、トラックの接線方向に対して一方の側には２分割された受光領域の一方である受光部Ａ，Ｄが配置され、他方の側には２分割された受光領域の他方である受光部Ｂ，Ｃが配置される。受光部Ａ，Ｄからの出力は加算器１１８へ入力され、加算器１１８からは信号Ａ＋Ｄが出力される。また、受光部Ｂ，Ｃからの出力は加算器１１９へ入力され、加算器１１９からは信号Ｂ＋Ｃが出力される。ウォブル信号は、メインビームのプッシュプル信号成分（Ａ＋Ｄ）−（Ｂ＋Ｃ）を検出することで得られる。なお、図中では、必要に応じて信号Ａ＋ＤをＡＤと表記し、信号Ｂ＋ＣをＢＣと表記している。
【００２９】
図２に示すように、ウォブル抽出回路１０８は、ＧＣＡ１２０，１２２、加算器１２４、減算器１２６、ラッチコンパレータ１２８，１３０、ＥＸＯＲ（排他的論理和）回路１３２、積分器１３４、ＢＡＬ制御部１３６を有して構成されている。
【００３０】
図２に示すように、信号Ａ＋ＤはＧＣＡ１２０に入力され、ゲインが調整される。また、信号Ｂ＋ＣはＧＣＡ１２２に入力され、ゲインが調整される。ゲインが調整された信号Ａ＋Ｄ、信号Ｂ＋Ｃは、それぞれ加算器１２４、減算器１２６へ入力される。
【００３１】
加算器１２４では、信号Ａ＋Ｄと信号Ｂ＋Ｃが加算されて、全加算信号Ｒ＝Ａ＋Ｂ＋Ｃ＋Ｄが出力される。一方、減算器１２６では、信号Ａ＋Ｄから信号Ｂ＋Ｃが減算されて、ウォブル信号であるプッシュプル信号（（Ａ＋Ｄ）−（Ｂ＋Ｃ））が出力される。
【００３２】
全加算信号Ｒ＝Ａ＋Ｂ＋Ｃ＋Ｄは、ラッチコンパレータ１２８へ入力される。ラッチコンパレータ１２８は、入力信号と所定値との比較に基づいて、入力信号のＡＣ成分を２値化するアナログコンパレータである。
【００３３】
また、ウォブル信号（（Ａ＋Ｄ）−（Ｂ＋Ｃ））は、ラッチコンパレータ１３０へ入力される。ラッチコンパレータ１３０は、入力信号と所定値との比較に基づいて入力信号を２値化するアナログのコンパレータである。
【００３４】
各ラッチコンパレータ１２８，１３０の出力は、ＥＸＯＲ回路１３２へ入力される。ＥＸＯＲ回路１３２では、２値化された信号のＥＸＯＲ（排他的論理和）が採られる。従って、ＥＸＯＲ回路１３２は、全加算信号（Ａ＋Ｂ＋Ｃ＋Ｄ）とウォブル信号（（Ａ＋Ｄ）−（Ｂ＋Ｃ））が同相の場合はロー（Ｌ）の信号を出力し、全加算信号（Ａ＋Ｂ＋Ｃ＋Ｄ）とウォブル信号（（Ａ＋Ｄ）−（Ｂ＋Ｃ））が逆相の場合はハイ（Ｈ）の信号を出力する。
【００３５】
ＥＸＯＲ回路１３２の出力は、積分器１３４へ入力され、ＥＸＯＲ回路１３２から入力された２値信号の積分値が演算される。
【００３６】
積分器１３４の出力はバランス（ＢＡＬ）制御部１３６へ入力される。ＢＡＬ制御部１３６では、積分器１３４の出力に基づいてＧＣＡ１２０，１２２のゲインを調整するためのゲインバランス制御信号を出力する。ＢＡＬ制御部１３６から出力された制御信号は、各ＧＣＡ１２０，１２２へ入力され、これにより、ゲインを調整するためのフィードバックループが構成される。ＧＣＡ１２０，１２２は、デジタルコード入力に応じてゲインを調整する回路であり、ＢＡＬ制御部１３６から送られた制御信号に基づいてゲインのフィードバック制御を行う。
【００３７】
ＢＡＬ制御部１３６からは、ＧＣＡ１２０，１２２のそれぞれに対して、互いに反転した制御信号が出力される。そして、バランス制御部１３６により制御されるＧＣＡ１２０，１２２のゲインの合計は一定値に保たれる。すなわち、ＧＣＡ１２０，１２２のうちの一方に対してゲインを増加させる制御信号が出力されると、他方に対してはゲインを減少させる制御信号が出力される。
【００３８】
図３は、加算器１２４から出力された全加算信号の信号波形と、減算器１２６から出力されたウォブル信号の信号波形を示す特性図である。ここで、図３（Ａ）は、加算器１２４から出力された全加算信号の信号波形を示している。信号（Ａ＋Ｄ）と信号（Ｂ＋Ｃ）のそれぞれは同相のＲＦ信号（記録信号）の成分を含むため、信号（Ａ＋Ｄ）と信号（Ｂ＋Ｃ）を加算した全加算信号は、信号（Ａ＋Ｄ）及び信号（Ｂ＋Ｃ）が有する本来のＲＦ信号と同相の信号となる。なお、ここでは信号（Ａ＋Ｄ）と信号（Ｂ＋Ｃ）を加算してＲＦ信号成分を取得しているが、信号（Ａ＋Ｄ）、信号（Ｂ＋Ｃ）のいずれか一方、または、各信号Ａ，Ｂ，Ｃ，ＤのいずれかによりＲＦ信号成分を取得することも可能である。
【００３９】
図３（Ｂ）及び図３（Ｃ）は、減算器１２６から出力されたウォブル信号の信号波形を示しており、信号Ａ＋Ｄと信号Ｂ＋Ｃの振幅が相違している場合を示している。ここで、図３（Ｂ）は（Ａ＋Ｄ）≧（Ｂ＋Ｃ）の場合を示しており、図３（Ｃ）は（Ａ＋Ｄ）＜（Ｂ＋Ｃ）の場合を示している。このように、信号（Ａ＋Ｄ）と信号（Ｂ＋Ｃ）のそれぞれは同相のＲＦ信号成分を含むため、振幅のバランスずれに起因して信号（Ａ＋Ｄ）と信号（Ｂ＋Ｃ）に大小関係が生じていると、バランスのずれ方に応じて、ＲＦ信号に対して同極性または逆極性のＲＦ信号成分がウォブル信号に漏れ込むことになる。また、図３（Ｄ）は、信号Ａ＋Ｄと信号Ｂ＋Ｃの振幅が同一となるようにＧＣＡ１２０，１２２でゲインが調整された後のウォブル信号を示している。
【００４０】
図３（Ａ）及び図３（Ｂ）に示すように、（Ａ＋Ｄ）≧（Ｂ＋Ｃ）の場合は、全加算信号と同相のＲＦ信号成分がウォブル信号に漏れ込み、全加算信号とウォブル信号とが同相の信号となる。この場合、ラッチコンパレータ１２８からの出力とラッチコンパレータ１３０からの出力が同相となり、ＥＸＯＲ回路１３２からの出力はロー（Ｌ）となる。
【００４１】
一方、図３（Ａ）及び図３（Ｃ）に示すように、（Ａ＋Ｄ）＜（Ｂ＋Ｃ）の場合は、全加算信号と逆相のＲＦ信号成分がウォブル信号に漏れ込み、全加算信号とウォブル信号とが逆相の信号となる。この場合、ラッチコンパレータ１２８からの出力とラッチコンパレータ１３０からの出力が逆相であるため、ＥＸＯＲ回路１３２からの出力はハイ（Ｈ）となる。
【００４２】
従って、ＥＸＯＲ回路１３２からの出力に基づいて、信号Ａ＋Ｄと信号Ｂ＋Ｃの振幅のバランス（大小関係）を判別することができ、バランスのずれの向きを判断することができる。そして、信号Ａ＋Ｄと信号Ｂ＋Ｃの振幅の大小関係が判ると、大小関係がなくなる方向にフィードバックをかけることで、信号Ａ＋Ｄと信号Ｂ＋Ｃの振幅のバランスを均一にすることができる。具体的には、信号Ａ＋Ｄと信号Ｂ＋Ｃの大小関係に基づいてＧＣＡ１２０，１２２のそれぞれのゲインを可変することで、信号Ａ＋Ｄと信号Ｂ＋Ｃの振幅を同等のレベルに制御することが可能となる。そして、信号Ａ＋Ｄと信号Ｂ＋Ｃの振幅のバランスを保つことで、ウォブル信号（（Ａ＋Ｄ）−（Ｂ＋Ｃ））のＲＦ成分の平均値を０に制御することが可能となり、図３（Ｄ）に示すように、ウォブル信号からＲＦ信号成分を確実に取り除くことが可能となる。
【００４３】
ＥＸＯＲ回路１３２からの出力は、積分器１３４に入力されて、ある時間の間で積分される。ＢＡＬ制御部１３６は、積分器１３４からの出力に基づいて、ＥＸＯＲ回路１３２から出力されたロー（Ｌ）の信号が積算されている場合は、（Ａ＋Ｄ）≧（Ｂ＋Ｃ）であるため、信号Ａ＋Ｄが入力されるＧＣＡ１２０に対してゲインを減少させるゲインバランス制御信号を出力する。また、信号Ｂ＋Ｃが入力されるＧＣＡ１２２に対してはゲインを増加させるゲインバランス制御信号を出力する。
【００４４】
また、ＢＡＬ制御部１３６は、積分器１３４からの出力に基づいて、ＥＸＯＲ回路１３２からハイ（Ｈ）の信号が出力されており、（Ａ＋Ｄ）＜（Ｂ＋Ｃ）の場合は、ＧＣＡ１２０に対してゲインを増加させるゲインバランス制御信号を出力し、ＧＣＡ１２２に対してゲインを減少させるゲインバランス制御信号を出力する。
【００４５】
上述のように、ＢＡＬ制御部１３６は、ＧＣＡ１２０，１２２のそれぞれに対して互いに反転したバイナリコードの制御信号を出力する。従って、ＧＣＡ１２０，１２２のそれぞれでは、信号Ａ＋Ｄと信号Ｂ＋Ｃの振幅が近づく方向にゲインが調整される。これにより、信号Ａ＋Ｄと信号Ｂ＋Ｃの振幅を同等のレベルに制御することが可能となる。
【００４６】
このようにしてフィードバック制御されたウォブル信号は、減算器１２６からアナログフィルタ１１０へ入力され、ウォブル復調用のＡＤ変換回路１１２に入力される。本実施形態では、ウォブル信号に基づいて信号Ａ＋Ｄと信号Ｂ＋Ｃの大小関係が判断されるため、ウォブル信号自体を用いた判断結果に基づいてウォブル信号のＲＦ成分を取り除くことが可能となる。従って、他の特性値に基づいてウォブル信号を処理する場合に比べて、ウォブル信号から確実にＲＦ成分を除去することが可能であり、ウォブル信号を最も良好な状態にすることができる。
【００４７】
ウォブル信号に漏れ込むＲＦ信号の周波数成分としては、特にウォブル信号の帯域に近いものが問題となる。このため、例えばウォブル信号の帯域から外れる高周波成分については予めフィルタで除去しておき、ウォブル信号の帯域に近い低周波のＲＦ成分に基づいてＥＸＯＲ処理を行い、ゲインを調整しても良い。この場合、例えば加算器の前段、および減算器の前段に高周波域をカットするフィルタを挿入する。また、ラッチコンパレータ１２８，１３０の前段にフィルタを挿入しても良い。フィルタでカットする周波数は、ウォブル信号の帯域に基づいて適宜選択することができる。
【００４８】
なお、ＢＡＬ制御部１３６は、ＧＣＡ１２０とＧＣＡ１２２の双方に制御値を出力するが、いずれか一方のＧＣＡのみに制御値を出力して、信号Ａ＋Ｄと信号Ｂ＋Ｃの一方のみゲインを調整しても良い。この場合においても、信号Ａ＋Ｄと信号Ｂ＋Ｃの振幅が同等のレベルになるようにフィードバック制御することができる。なお、この場合、ＧＣＡ１２０，１２２のゲインの合計は一定値ではなく、いずれか一方のＧＣＡのゲインを固定値とすることができる。ただし、ＧＣＡ１２０とＧＣＡ１２２の双方に制御値を入力して差動で動作させる方が、フィードバック制御における振幅変動をより少なくすることができる。
【００４９】
図４は、ウォブル抽出回路１０８の他の例を示す模式図である。図４に示す回路では、加算器１２４の前段にＡＤ変換回路１４０が挿入され、減算器１２６の前段にＡＤ変換回路１４２が挿入されている。また、ラッチコンパレータ１２８，１３０の代わりに、デジタル信号を二値化するコンパレータ１４４，１４６が設けられている。図２の回路ではアナログ領域に加算器１２４、減算器１２６を設け、ラッチコンパレータ１２８，１３０でアナログ二値化処理を行っているが、図４の回路では、信号Ａ＋ＤをＡＤ変換回路１４０で二値化し、信号Ｂ＋ＣをＡＤ変換回路１４２で二値化した後、図２と同様の処理をデジタル演算で行っている。
【００５０】
図４のウォブル抽出回路１０８によれば、デジタル演算によりＧＣＡ１２０とＧＣＡ１２２のゲインを調整することができる。そして、減算器１２６から出力されたウォブル信号は、デジタルフィルタ１４８でフィルタリングされた後、アドレス復調器１１３へ入力される。なお、ＧＣＡの分解能が十分であれば、ＡＤ変換回路１４０，１４２の後段に各ＧＣＡ１２０，１２２を配置し、デジタル信号に変換した後にゲインバランスを調整しても良い。
【００５１】
以上説明したように本実施形態によれば、二値化したＲＦ成分（全加算信号）と二値化されたウォブル信号との排他的論理和を演算することで信号Ａ＋Ｄと信号Ｂ＋Ｃのバランスのずれの方向を検出することができる。従って、これに基づいてフィードバック制御をかけることで、信号Ａ＋Ｄと信号Ｂ＋Ｃの振幅バランスを均一にすることが可能となり、ウォブル信号を精度良く抽出することが可能となる。また、信号Ａ＋Ｄおよび信号Ｂ＋Ｃのそれぞれの振幅を揃えるためにＡＧＣループを設ける必要がないため、バランス制御回路の規模を大幅に縮小することが可能となり、製造コストを低減することができる。
【００５２】
また、全加算信号とウォブル信号を２値化するラッチコンパレータ１２８，１３０の出力でバランス制御ができるため、ＡＧＣ回路のＤレンジに合わせるためＧＣＡや、ＲＦ信号を波形整形するＬＰＦなども不要になる。また、従来ＡＧＣ回路で信号の絶対振幅をそろえる為に、大きなＤレンジおよびゲインレンジが必要であったが、信号Ａ＋Ｄおよび信号Ｂ＋Ｃのバランスだけを制御すればよい為、ゲイン制御回路のゲインレンジを最小化出来る。
【００５３】
更に、２値化後のバランス検出、バランス制御の信号処理は全てロジックで行えるのでアナログ信号処理と比べて回路規模を小さく出来、ＣＭＯＳシステムＬＳＩとの親和性が良い。また、コンパレータ回路はＣＭＯＳプロセスではオフセットフリー化が容易であり、この点でもＣＭＯＳプロセスとの親和性が良い。更に、ウォブル抽出後の残留ＲＦ成分からバランスずれを検出する為、残留ＲＦ成分が最小になる様にバランスを制御することが出来、ウォブルの信号品質を改善できる。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５５】
【図１】本発明の一実施形態に係る光ディスク装置１００の構成を示す模式図である。
【図２】図１の光ディスク装置において、ウォブル抽出回路とその周辺の構成を詳細に示す模式図である。
【図３】加算器から出力された全加算信号の信号波形と、減算器から出力された信号波形を示す特性図である。
【図４】ウォブル抽出回路の他の例を示す模式図である。
【符号の説明】
【００５６】
１０    再生回路
１２    デコーダ
１４    エンコーダ
１６    レーザ制御回路
１００    光ディスク装置
１１６    コントローラ
１２０，１２２    ＧＣＡ
１２４    加算器
１２６    減算器
１２８，１３０    ラッチコンパレータ
１３２    ＥＸＯＲ回路
１３４    積分器
【図１】
0004525746.tif 000002
【図２】
0004525746.tif 000003
【図３】
0004525746.tif 000004
【図４】
0004525746.tif 000005